(57)【要約】【課題】  通信時に通信相手をユーザに確認させること。【解決手段】  携帯電話機は、過去の通信相手の電話番号を含み、発信または着信の履歴を示す履歴情報を記憶する履歴記憶部（Ｓ０６、Ｓ１５）と、着信時において（Ｓ０１でＹＥＳ）、記憶された履歴情報のうちから着信相手の電話番号を含む履歴情報を抽出する抽出部（Ｓ０５、Ｓ１０、Ｓ１６）と、抽出された履歴情報を表示する表示制御部（Ｓ０８、Ｓ１１、Ｓ１７）と、を備える。【選択図】        図５
2010068060.tif 000002
【特許請求の範囲】
【請求項１】
過去の通信相手の識別情報を含み、通信の履歴を示す履歴情報を記憶する通信履歴記憶手段と、
通信時において、前記記憶された履歴情報のうちから通信相手の識別情報を含む履歴情報を抽出する抽出手段と、
前記抽出された履歴情報を表示する表示制御手段と、を備えた通信機器。
【請求項２】
通信の終了時に付加情報を受け付け、前記履歴情報に前記受け付けられた付加情報を設定する設定手段を、さらに備え、
前記表示制御手段は、前記抽出された履歴情報に前記付加情報が設定されている場合、該付加情報をさらに表示する、請求項１に記載の通信機器。
【請求項３】
前記抽出手段により抽出された履歴情報に前記付加情報が設定されている場合、所定の通知を行う通知手段をさらに備えた、請求項２に記載の通信機器。
【請求項４】
前記所定の通知は、前記付加情報に割り当てられたアイコンまたはマークの表示、所定の音の発音、振動および他の機器への情報の転送のうちの少なくとも１つを含む、請求項３に記載の通信機器。
【請求項５】
前記付加情報は、前記所定の通知の種類を特定する情報を含む、請求項３に記載の通信機器。
【請求項６】
前記抽出手段は、さらに、前記記憶された履歴情報を一覧表示する時において、ユーザにより選択された履歴情報に含まれる識別情報を含む履歴情報を抽出する、請求項１〜５のいずれか１つに記載の通信機器。
【請求項７】
前記表示制御手段は、前記抽出手段により複数の履歴情報が抽出される場合、前記抽出された複数の履歴情報のすべてを表示する、請求項１〜６のいずれか１つに記載の通信機器。
【請求項８】
前記履歴情報は、通信回数を含み、
前記通信履歴記憶手段は、履歴情報を記憶する際に同一の識別情報を含む履歴情報が既に記憶されている場合、通信回数をカウントアップした履歴情報に更新する更新手段を含む、請求項１〜７のいずれか１つに記載の通信機器。
【請求項９】
前記識別情報に対応した個人情報を記憶する個人情報記憶手段をさらに備え、
前記表示制御手段は、前記抽出手段に入力された識別情報に対応した個人情報を前記抽出された履歴情報とともに表示する、請求項１〜８のいずれか１つに記載の通信機器。
【請求項１０】
前記通信は、着信及び発信の少なくともいずれか一方を含む、請求項１〜９のいずれかに記載の通信機器。
【請求項１１】
過去の通信相手の識別情報を含み、通信の履歴を示す履歴情報を記憶するステップと、
通信時において、前記記憶された履歴情報のうちから通信相手の識別情報を含む履歴情報を抽出するステップと、
前記抽出された履歴情報を表示するステップと、を含む通信履歴表示方法。
【請求項１２】
過去の通信相手の識別情報を含み、通信の履歴を示す履歴情報を記憶するステップと、
通信時において、前記記憶された履歴情報のうちから通信相手の識別情報を含む履歴情報を抽出するステップと、
前記抽出された履歴情報を表示するステップと、をコンピュータに実行させる通信履歴表示プログラム。
【発明の詳細な説明】
【技術分野】
【０００１】
この発明は、通信機器に関し、特に過去に通信相手との通信した履歴を記憶する通信機器、その通信機器で実行される通信履歴表示方法および通信履歴表示プログラムに関する。
【背景技術】
【０００２】
近年、携帯電話機は、電話番号と氏名とを関連付けた電話帳を記憶可能である。この携帯電話機は、通話の発信時または着信時に、その発信または着信の相手が電話帳に登録されていれば、発信または着信相手の氏名および電話番号など電話帳に登録された情報を表示する。しかしながら、電話帳に登録されていない相手に対する発信またはその相手からの着信の場合、相手の電話番号以外を表示することができない。
【０００３】
特開２００２−１９０８６０号公報（特許文献１）には、電話帳に登録されていない電話番号からの着信の場合は、自動的に定型な登録名を付与して電話帳などに登録する技術が記載されているが、電話帳に多くの電話番号が自動的に登録されることになり、メモリ資源が浪費されてしまう。特に、電話帳のために割り当てられたメモリ領域のサイズにも限度があるので、メモリ領域が不足すると新たな電話番号を電話帳に登録することができなくなってしまう。また、電話帳に登録された後の着信時に定型な登録名を表示することができるが、それだけではユーザは通信相手が誰であるかを特定することができないといった問題がある。
【特許文献１】特開２００２−１９０８６０号公報
【発明の開示】
【発明が解決しようとする課題】
【０００４】
この発明は上述した問題点を解決するためになされたもので、この発明の目的の一つは、通信時に通信相手をユーザに確認させることが可能な通信機器を提供することができる。
【０００５】
この発明の他の目的は、通信時に通信相手をユーザに確認させることが可能な通信履歴表示方法を提供することができる。
【０００６】
この発明のさらに他の目的は、通信時に通信相手をユーザに確認させることが可能な通信履歴表示プログラムを提供することができる。
【課題を解決するための手段】
【０００７】
上述した目的を達成するためにこの発明のある局面によれば、通信機器は、過去の通信相手の識別情報を含み、通信の履歴を示す履歴情報を記憶する通信履歴記憶手段と、通信時において、記憶された履歴情報のうちから通信相手の識別情報を含む履歴情報を抽出する抽出手段と、抽出された履歴情報を表示する表示制御手段と、を備える。
【０００８】
この局面に従えば、過去の通信相手の識別情報を含み、通信の履歴を示す履歴情報が記憶され、通信時において、通信相手の識別情報を含む履歴情報が抽出され、表示される。このため、通信時に、通信相手と過去に通信した履歴が表示されるので、ユーザは、表示された履歴から通信相手が誰であるかを思い出すことができる。その結果、通信時に通信相手をユーザに確認させることが可能な通信機器を提供することができる。
【０００９】
好ましくは、通信の終了時に付加情報を受け付け、履歴情報に受け付けられた付加情報を設定する設定手段を、さらに備え、表示制御手段は、抽出された履歴情報に付加情報が設定されている場合、該付加情報をさらに表示する。
【００１０】
この局面に従えば、通信時に、過去の通信終了時に受け付けられた付加情報が表示されるので、ユーザが通信相手を思い出し、確認するのを容易にすることができる。
【００１１】
好ましくは、抽出手段により抽出された履歴情報に付加情報が設定されている場合、所定の通知を行う通知手段をさらに備える。
【００１２】
この局面に従えば、着信時に、履歴情報に付加情報が設定されている場合、所定の通知が行われるので、ユーザは、付加情報が設定されていることを知ることができる。
【００１３】
好ましくは、所定の通知は、付加情報に割り当てられたアイコンまたはマークの表示、所定の音の発音、振動および他の機器への情報の転送のうちの少なくとも１つを含む。
【００１４】
好ましくは、付加情報は、所定の通知の種類を特定する情報を含む。
【００１５】
好ましくは、抽出手段は、さらに、記憶された履歴情報を一覧表示する時において、ユーザにより選択された履歴情報に含まれる識別情報を含む履歴情報を抽出する。
【００１６】
この局面に従えば、履歴情報を一覧表示するときにおいて、ユーザが選択した履歴情報と同じ識別情報を含む履歴情報が表示される。このため、ユーザが選択した相手の履歴情報のすべてが表示されるので、ユーザが選択した相手を思い出し、確認するのを容易にすることができる。
【００１７】
好ましくは、表示制御手段は、抽出手段により複数の履歴情報が抽出される場合、抽出された複数の履歴情報のすべてを表示する。
【００１８】
好ましくは、履歴情報は、通信回数を含み、通信履歴記憶手段は、履歴情報を記憶する際に同一の識別情報を含む履歴情報が既に記憶されている場合、通信回数をカウントアップした履歴情報に更新する更新手段を含む。
【００１９】
この局面に従えば、履歴情報として通信回数が表示されるので、着信相手、またはユーザが選択した相手を思い出すのを容易にすることができる。
【００２０】
好ましくは、識別情報に対応した個人情報を記憶する個人情報記憶手段をさらに備え、表示制御手段は、抽出手段に入力された識別情報に対応した個人情報を抽出された履歴情報とともに表示する。
【００２１】
好ましくは、通信は、着信及び発信の少なくともいずれか一方を含む。
【００２２】
この発明の他の局面によれば、通信履歴表示方法は、過去の通信相手の識別情報を含み、通信の履歴を示す履歴情報を記憶するステップと、通信時において、記憶された履歴情報のうちから通信相手の識別情報を含む履歴情報を抽出するステップと、抽出された履歴情報を表示するステップと、を含む。
【００２３】
この局面に従えば、通信時に通信相手をユーザに確認させることが可能な通信履歴表示方法を提供することができる。
【００２４】
この発明のさらに他の局面によれば、通信履歴表示プログラムは、過去の通信相手の識別情報を含み、通信の履歴を示す履歴情報を記憶するステップと、通信時において、記憶された履歴情報のうちから通信相手の識別情報を含む履歴情報を抽出するステップと、抽出された履歴情報を表示するステップと、をコンピュータに実行させる。
【００２５】
この局面に従えば、通信時に通信相手をユーザに確認させることが可能な通信履歴表示プログラムを提供することができる。
【発明を実施するための最良の形態】
【００２６】
以下、本発明の実施の形態について図面を参照して説明する。以下の説明では同一の部品には同一の符号を付してある。それらの名称および機能も同じである。したがってそれらについての詳細な説明は繰返さない。
【００２７】
図１は、本発明の実施の形態の一つにおける携帯電話の外観を示す斜視図である。図１は、オープンスタイルの状態にある携帯電話の外観を示す図である。図１を参照して、通信機器としての携帯電話機１は、操作側部３と、表示側部２とを含む。操作側部３は、テンキーおよび通話キー等を含む操作キー１４と、マイクロフォン１３とが内側面に配置される。表示側部２は、液晶表示装置（ＬＣＤ）１５と、レシーバを構成するスピーカ１１と、カメラ２４とが内側面に配置される。なお、ここでは携帯電話機１がＬＣＤ１５を備える例を示すが、ＬＣＤ１５に代えて、有機ＥＬ（ＥｌｅｃｔｒｏＬｕｍｉｎｅｓｃｅｎｃｅ）ディスプレイを用いてもよい。操作側部３と表示側部２とは、ヒンジ機構で回転可能に連結され、操作側部３と表示側部２とは開閉自在である。携帯電話機１を折りたたんで、操作側部３と表示側部２とが閉状態にあるときの携帯電話機１の状態がクローズスタイルであり、携帯電話機１を開いて、操作側部３と表示側部２とが開状態にあるときの携帯電話機１の状態がオープンスタイルである。
【００２８】
図２は、本実施の形態における携帯電話機のハード構成の一例を示すブロック図である。図２を参照して、携帯電話機１は、携帯電話機１の全体を制御するための制御部２１と、アンテナ２２Ａと接続された無線回路２２と、音声データを符号化または復号するためのコーデック部２３と、音声データを処理し音声を制御するための音声制御部２８と、カメラ２４と、ユーザの操作の入力を受付ける操作部２５と、着信を報知するための振動部２６と、制御部２１で実行するプログラム等を記憶するためのフラッシュメモリ３１と、制御部２１の作業領域として使用されるＲＡＭ（Ｒａｎｄｏｍ  Ａｃｃｅｓｓ  Ｍｅｍｏｒｙ）３２と、カードインターフェース（Ｉ／Ｆ）２７と、を含む。
【００２９】
無線回路２２は、制御部２１により制御され、無線基地局と通信する。具体的には、無線回路２２は、アンテナ２２Ａにより受信された無線信号が入力され、無線信号を復調した音声信号をコーデック部２３に出力する。また、無線回路２２は、コーデック部２３から音声信号が入力され、音声信号を変調した無線信号をアンテナ２２Ａに出力する。コーデック部２３は、無線回路２２から入力される音声信号を復号し、復号したデジタルの音声信号をアナログに変換し、音声制御部２８に出力する。また、コーデック部２３は、音声制御部２８からアナログの音声信号が入力され、音声信号をデジタルに変換し、符号化し、そして符号化した音声信号を無線回路２２に出力する。
【００３０】
また、無線回路２２は、無線基地局との間でデータ通信が可能である。特に、無線回路２２は、無線基地局に接続された電子メールサーバと無線基地局を介して通信することが可能である。無線回路２２は、電子メールサーバから送信される電子メールを受信し、制御部２１に出力する。また、無線回路２２は、制御部２１から入力される電子メールを電子メールサーバに送信する。このため、制御部２１は、電子メールサーバとの間で送受信した電子メールをフラッシュメモリ３１に記憶する。
【００３１】
操作部２５は、操作キー１４を含む。操作キー１４は、ユーザによる操作の入力を受け付け、受け付けた操作を制御部２１に出力する。
【００３２】
音声制御部２８は、マイクロフォン１３と接続され、マイクロフォン１３が集音して出力するアナログの音声信号が入力される。音声制御部２８は、マイクロフォン１３から入力される音声信号をコーデック部２３に出力する。また、音声制御部２８は、コーデック部２３から音声信号が入力され、コーデック部２３から入力された音声信号をスピーカ１１に出力する。
【００３３】
カードＩ／Ｆ２７には、着脱可能なメモリカード２７Ａが装着される。メモリカード２７Ａは、フラッシュメモリ等の不揮発性メモリを有し、プログラムを記憶可能である。制御部２１は、カードＩ／Ｆ２７を介して、メモリカード２７Ａにアクセスが可能である。なお、ここでは制御部２１で実行するためのプログラムをフラッシュメモリ３１に記憶しておく例を説明するが、プログラムをメモリカード２７Ａに記憶しておき、メモリカード２７Ａからプログラムを読み出して、制御部２１で実行するようにしてもよい。プログラムを記憶する記録媒体としては、メモリカード２７Ａに限らず、フレキシブルディスク、カセットテープ、光ディスク（ＣＤ−ＲＯＭ（Ｃｏｍｐａｃｔ  Ｄｉｓｃ−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、光カード、マスクＲＯＭ、ＥＰＲＯＭ、ＥＥＰＲＯＭなどの半導体メモリ等でもよい。また、制御部２１が、無線回路２２を介してインターネットに接続されたコンピュータからプログラムをダウンロードし、そのプログラムを実行するようにしてもよい。ここでいうプログラムは、制御部２１により直接実行可能なプログラムだけでなく、ソースプログラム、圧縮処理されたプログラム、暗号化されたプログラム等を含む。
【００３４】
カメラ２４は、レンズおよびＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データを制御部２１に出力する。カメラ２４は、制御部２１により制御され、制御部２１からの指示により撮像を開始して、得られる静止画データまたは動画データを制御部２１に出力する。制御部２１は、カメラ２４が出力する静止画データまたは動画データをＬＣＤ１５に表示する、または、圧縮符号化方式で静止画データまたは動画データを符号化して、フラッシュメモリ３１またはカードＩ／Ｆ２７に装着されたメモリカード２７Ａに記憶する。
【００３５】
図３は、本発明の実施の形態の１つにおける携帯電話機の制御部の機能の概要をフラッシュメモリに記憶する情報とともに示す機能ブロック図である。図３を参照して、制御部２１は、電話の発着信および通話を制御する通信制御部５７と、過去に発着信した電話番号を含み、発着信の履歴を示す履歴情報を記憶する履歴記憶部５１と、履歴情報を表示する履歴表示部５９と、履歴情報を抽出する抽出部６１と、履歴情報の表示を制御する表示制御部６３と、通知部６５と、を含む。なお、本発明では、電話の発信および着信は、通信に含まれる。
【００３６】
フラッシュメモリ３１は、履歴情報８１と、電話帳８５と、を記憶する。履歴情報８１は、発信相手の電話番号を含み、発信の履歴を示す発信履歴情報８２と、着信相手の電話番号を含み、着信の履歴を示す着信履歴情報８３と、を含む。発信履歴情報８２は、発信相手の電話番号と、発信時刻と、発信回数とを含む。発信時刻は最後に発信した時刻が設定され、発信回数は、そのときまでに発信した回数が設定される。着信履歴情報８３は、着信相手の電話番号と、着信時刻と、着信回数とを含む。着信時刻は、最後に着信した時刻が設定され、着信回数は、そのときまでに着信した回数が設定される。したがって、発信履歴情報８２および着信履歴情報８３それぞれは、１つの電話番号に対して１つが記憶される。なお、ここでは発信履歴情報８２が発信回数を含み、着信履歴情報８３が着信回数を含む例を説明するが、発信毎に電話番号と発信時刻とを含む発信履歴情報８２を記憶してもよいし、着信毎に電話番号と着信時刻とを含む着信履歴情報８３を記憶するようにしてもよい。この場合、同じ電話番号を含む発信履歴情報の数で発信回数を算出でき、同じ電話番号を含む着信履歴情報の数で着信回数を算出できる。電話帳８５は、電話番号と、その電話番号が割り当てられた電話機のユーザの氏名とを関連付ける。
【００３７】
通信制御部５７は、電話の発着信および通話を制御する。無線回路２２が基地局から着呼信号を受信すると、着呼信号に含まれる電話番号を着信相手の電話番号として履歴記憶部５１および抽出部６１に出力する。通信制御部５７は、着呼信号が受信された後、ユーザにより操作キー１４のオフフックキーが押下されたことを検出すれば、基地局を通じて着信相手の電話機との間の回線を接続し、通話可能な状態となる。
【００３８】
また、通信制御部５７は、携帯電話機１のユーザが操作キー１４に電話番号を直接入力すると、入力された電話番号を発信相手の電話番号として履歴記憶部５１および抽出部６１に出力する。さらに、後述する履歴表示部５９から電話番号が入力されると、入力された電話番号を発信相手の電話番号として履歴記憶部５１および抽出部６１に出力する。通信制御部５７は、発信相手の電話番号が入力された後、ユーザにより操作キー１４のオフフックキーが押下されたことを検出すれば、基地局を通じて発信相手の電話機に発呼し、発信相手の電話機が応呼すれば、発信相手の電話機との間の回線を接続し、通話可能な状態となる。
【００３９】
履歴記憶部５１は、通信制御部５７から着信相手の電話番号が入力されると、入力される電話番号を含む着信履歴情報を生成し、フラッシュメモリ３１に記憶する。これにより、フラッシュメモリ３１に着信履歴情報８３が記憶される。通信制御部５７から発信相手の電話番号が入力されると、入力される電話番号を含む発信履歴情報を生成し、フラッシュメモリ３１に記憶する。これにより、フラッシュメモリ３１に発信履歴情報８２が記憶される。
【００４０】
履歴記憶部５１は、更新部５３と、設定部５５と、を含む。更新部５３は、生成された着信履歴情報をフラッシュメモリ３１に記憶する際に、生成された着信履歴情報に含まれる電話番号と同じ電話番号を含む着信履歴情報８３が記憶されている場合、生成された着信履歴情報をフラッシュメモリ３１に記憶することなく、フラッシュメモリ３１に既に記憶されており、生成された着信履歴情報に含まれる電話番号と同じ電話番号を含む着信履歴情報８３の着信回数を、それに１を加算した値に変更し、着信時刻をそのときの時刻に変更する。同様に、更新部５３は、生成された発信履歴情報をフラッシュメモリ３１に記憶する際に、生成された発信履歴情報に含まれる電話番号と同じ電話番号を含む発信履歴情報８２が記憶されている場合、生成された発信履歴情報をフラッシュメモリ３１に記憶することなく、フラッシュメモリ３１に既に記憶されており、生成された発信履歴情報に含まれる電話番号と同じ電話番号を含む発信履歴情報８２の発信回数を、それに１を加算した値に変更し、発信時刻をそのときの時刻に変更する。
【００４１】
設定部５５は、通信制御部５７により相手方の電話機との回線を接続する通話が終了すると、付加情報を入力するための付加情報設定画面をＬＣＤ１５に表示し、ユーザが操作キー１４に入力する付加情報を受け付ける。付加情報は、ユーザが相手または用件を特定するために必要な情報であればよく、予め定めてあってもよいし、ユーザが直接入力するようにしてもよい。ここでは、付加情報を予め定めておく場合を例に説明する。
【００４２】
図４は、付加情報設定画面の一例を示す図である。付加情報設定画面は、複数種類の付加情報の一覧表示する画面であり、一覧表示された複数種類の付加情報のうち少なくとも１つの選択を受け付けるための画面である。図４を参照して、付加情報設定画面は、連絡することが要求されることを示す付加情報「連絡要」と、連絡を受ける待ち状態であることを示す付加情報「連絡待ち」と、相手が重要人物であることを示す付加情報「重要人物」と、を表示する。なお、ここでは、付加情報を予め定めておくようにしたが、付加情報はこれに限定されるものではなく、他の情報を予め定めておいても良いし、ユーザが操作キー１４から入力するようにしてもよい。
【００４３】
図３に戻って、設定部５５は、ＬＣＤ１５に付加情報設定画面を表示した状態で、ユーザが操作キー１４を操作して複数種類の付加情報「連絡要」、「連絡待ち」および「重要人物」の少なくとも１つを選択する指示を入力すれば、選択された少なくとも１つの付加情報を受け付け、受け付けられた少なくとも１つの付加情報を、履歴情報８１に設定する。なお、本発明における付加情報としては、これら３つに限定されるものではなく、適宜、他の付加情報も用いることができる。具体的には、通信制御部５７が発信後に開始された通話を終了する場合、発信相手の電話番号を含む発信履歴情報８２が新たに記憶されるか更新部５３により更新されるが、設定部５５は、新たに記憶または更新された発信履歴情報８２に付加情報を追加して記憶する。また、通信制御部５７が着信後に開始された通話を終了する場合、着信相手の電話番号を含む着信履歴情報８３が新たに記憶されるか更新部５３により更新されるが、設定部５５は、新たに記憶または更新された着信履歴情報８３に付加情報を追加して記憶する。
【００４４】
発信または着信によって開始される通話が終了した後に、ユーザが入力する付加情報を発信履歴情報８２または着信履歴情報８３に追加して記憶するので、ユーザは、通話の相手に関する情報を付加情報として相手の電話番号を含む発信履歴情報８２または着信履歴情報と関連付けて記憶させることができる。このため、通話の相手の電話番号を電話帳８５に登録する必要がなく、通話の相手に関する情報を、通話の終了後直ちに電話番号と関連付けて携帯電話機１に記憶させることができる。また、通話の終了後直ちに付加情報を記憶するので、ユーザは、付加情報を電話番号と関連付ける機会を逃すことがなく、また、通話の終了後に電話番号と通話の相手との関係を忘れた場合であっても、付加情報から通話の相手を思い出すことができ、電話番号を特定することができる。
【００４５】
抽出部６１は、通信制御部５７から着信相手の電話番号が入力されると、入力される電話番号を含む着信履歴情報８３を読出し、それを表示制御部６３および通知部６５に出力する。抽出部６１は、通信制御部５７から入力される着信相手の電話番号を含む着信履歴情報８３がフラッシュメモリ３１に記憶されていないことを条件に、通信制御部５７から入力される着信相手の電話番号を含む発信履歴情報８２を読出し、それを表示制御部６３および通知部６５に出力する。着信履歴情報８３を発信履歴情報８２に優先して抽出するようにしたのは、制御部２１における検索処理の負荷を軽減するためである。電話帳に登録されていない電話番号への発信より電話帳に登録されていない電話番号からの着信の方が多くなることが経験的に知られている。換言すれば、発信相手を知らずに発信することは稀であり、知らない相手から着信することのほうが多いことが経験的に知られている。
【００４６】
履歴表示部５９は、ユーザが操作キー１４に履歴表示指示を入力すると、履歴情報８１を読み出して、読み出した履歴情報８１をＬＣＤ１５に一覧表示する。ユーザが発信履歴の履歴表示指示を操作キー１４に入力すると、発信履歴情報８２を読み出して、発信時刻順に並び替えて一覧表示する。発信履歴情報８２は、発信相手の電話番号と、発信時刻と、発信回数とを含む。また、履歴表示部５９は、発信履歴情報８２に付加情報が追加されている場合、付加情報を表示する。履歴表示部５９は、発信履歴情報８２の一覧をＬＣＤ１５に表示しているときに、ユーザが操作キー１４に発信履歴情報８２の１つを選択する指示を入力すると、選択された発信履歴情報８２に含まれる電話番号を抽出部６１および通信制御部５７に出力する。
【００４７】
また、履歴表示部５９は、ユーザが着信履歴の履歴表示指示を操作キー１４に入力すると、着信履歴情報８３を読み出して、着信時刻順に並び替えて一覧表示する。着信履歴情報８３は、着信相手の電話番号と、着信時刻と、着信回数とを含む。また、履歴表示部５９は、着信履歴情報８３に付加情報が追加されている場合、付加情報を表示する。さらに、履歴表示部５９は、着信履歴情報８３に付加情報が追加されている場合、付加情報を表示する。履歴表示部５９は、着信履歴情報８３の一覧をＬＣＤ１５に表示しているときに、ユーザが操作キー１４に着信履歴情報８３の１つを選択する指示を入力すると、選択された着信履歴情報８３に含まれる電話番号を抽出部６１および通信制御部５７に出力する。
【００４８】
抽出部６１は、さらに、履歴表示部５９から電話番号が入力されると、入力される電話番号を含む着信履歴情報８３および発信履歴情報８２を読出し、読み出された着信履歴情報８３および発信履歴情報８２を表示制御部６３および通知部６５に出力する。履歴表示部５９が着信履歴情報８３を一覧表示している場合は、ユーザにより選択された着信履歴情報８３に含まれる着信相手の電話番号が入力され、履歴表示部５９が発信履歴情報８２を一覧表示している場合は、ユーザにより選択された発信履歴情報８２に含まれる発信相手の電話番号が入力される。
【００４９】
表示制御部６３は、抽出部６１から着信履歴情報８３が入力されると、それをＬＣＤ１５に表示する。着信履歴情報８３は、最後に着信した時刻、それまでに着信した回数を含むので、着信時刻と着信回数とをユーザに通知することができる。このため、着信履歴情報８３を見るユーザに、着信相手を思い出し、確認するのを容易にするために、着信時刻と着信回数とを提示する。
【００５０】
また、表示制御部６３は、抽出部６１から発信履歴情報８２が入力されると、それをＬＣＤ１５に表示する。発信履歴情報８２は、最後に発信した時刻、それまでに発信した回数を含むので、発信時刻と発信回数とをユーザに通知することができる。このため、発信履歴情報８１を見るユーザに、着信相手を思い出し、確認するのを容易にするために、着信時刻と着信回数とを提示する。
【００５１】
表示制御部６３は、フラッシュメモリ３１に記憶されている電話帳８５を参照し、抽出部６１から入力される着信履歴情報８３に含まれる電話番号が登録されている場合、その電話番号に対応付けられた氏名を取得し、氏名を着信履歴情報８３が表示される位置に隣接した位置に表示する。同様に、表示制御部６３は、フラッシュメモリ３１に記憶されている電話帳８５を参照し、抽出部６１から入力される発信履歴情報８２に含まれる電話番号が登録されている場合、その電話番号に対応付けられた氏名を取得し、氏名を発信履歴情報８２が表示される位置に隣接した位置に表示する。
【００５２】
通知部６５は、抽出部６１から着信履歴情報８３が入力されると、着信履歴情報８３に付加情報が追加されているか否かを判断し、付加情報が追加されていれば、その付加情報をユーザに通知する。具体的には、抽出部６１から入力される着信履歴情報８３に追加されている付加情報を取得し、それを表示制御部６３に着信履歴情報８３が表示される位置に隣接した位置に表示させる。なお、付加情報そのものを表示するのに代えて、付加情報に予め関連付けられたアイコンまたはマークを表示するようにしてもよい。アイコンとは、絵、記号またはそれらの組み合わせである。
【００５３】
通知部６５は、抽出部６１から発信履歴情報８２が入力されると、発信履歴情報８２に付加情報が追加されているか否かを判断し、付加情報が追加されていれば、その付加情報をユーザに通知する。具体的には、抽出部６１から入力される発信履歴情報８２に追加されている付加情報を取得し、それを表示制御部６３に発信履歴情報８２が表示される位置に隣接した位置に表示させる。
【００５４】
また、通知部６５は、着信履歴情報８３または発信履歴情報８２に付加情報が追加されている場合、スピーカから所定の着信音を発音し、振動部２６を所定のパターンで振動し、電話番号と付加情報とを記述し、所定の電子メールアドレスを宛先に設定した電子メールを生成して送信する。この場合、付加情報が設定されていることを通知の種類を、スピーカからの着信音の発音、振動部２６による振動、電子メールの送信のいずれにするかを、付加情報に設定しておくようにしてもよい。この場合、設定部５５により表示される付加情報設定画面に、通知の種類を選択する項目を設けて、付加情報設定画面において通知の種類をユーザが選択することができるようにすればよい。また、通知の種類をデフォルトの値として設定しておくようにし、設定部５５が付加情報を履歴情報に設定する際に、デフォルトに設定されている通知の種類を付加情報として履歴情報に設定するようにしてもよい。
【００５５】
通知部６５は、付加情報が存在すると、着信音が鳴動し、振動部２６が振動し、電子メールを送信するので、携帯電話機１のユーザに、着信相手または発信相手に対して付加情報が存在することを知らせることができる。また、付加情報またはそれに代わるアイコンまたはマークを表示するので、ユーザに付加情報から着信相手または発信相手を思い出すヒントを与えることができる。
【００５６】
図５は、着信処理の流れの一例を示すフローチャートである。着信処理は、制御部２１が通信履歴表示プログラムを実行することにより、制御部２１により実行される処理である。図５を参照して、制御部２１は、着信を検出したか否かを判断する（ステップＳ０１）。無線回路２２が基地局から着呼信号を受信すると、着信を検出する。着信を検出するまで待機状態となり（ステップＳ０１でＮＯ）、着信を検出すると（ステップＳ０１でＹＥＳ）、処理をステップＳ０２に進める。すなわち、着信処理は、携帯電話機１が着信することを条件に実行される処理である。
【００５７】
ステップＳ０２においては、着信相手の電話番号を取得する。無線回路２２が基地局から受信する着呼信号に含まれる電話番号を着信相手の電話番号として取得する。そして、着信相手の電話番号が電話帳８５に登録されているか否かを判断する。着信相手の電話番号が電話帳８５に登録されていれば処理をステップＳ０４に進め、そうでなければステップＳ０４をスキップして処理をステップＳ０５に進める。ステップＳ０４においては、電話帳８５において、ステップＳ０２において取得された着信相手の電話番号に関連付けられた氏名を取得し、処理をステップＳ０５に進める。
【００５８】
ステップＳ０５においては、着信履歴情報８３を検索し、ステップＳ０２において取得された着信相手の電話番号を含む着信履歴情報８３を抽出したか否かを判断する。そのような着信履歴情報を抽出したならば処理をステップＳ０６に進めるが、そうでなければ処理をステップＳ１５に進める。
【００５９】
ステップＳ０６においては、着信履歴情報を更新し、処理をステップＳ０７に進める。具体的には、ステップＳ０５において抽出された着信履歴情報の着信回数の値を、それに１を加算した値に変更する。ステップＳ０７においては、ステップＳ０５において抽出された着信履歴情報８３に付加情報が追加されているか否かを判断する。付加情報が追加されていれば処理をステップＳ０８に進めるが、そうでなければ処理をステップＳ１０に進める。
【００６０】
ステップＳ０８においては、ステップＳ０５において抽出され、ステップＳ０６において更新された着信履歴情報８３をＬＣＤ１５に表示する。着信履歴情報８３が表示されるので、ユーザは、着信時刻および着信回数をヒントに着信相手を思い出すことができる。
【００６１】
そして、付加情報が追加されていることを通知し（ステップＳ０９）、処理をステップＳ２１に進める。具体的には、付加情報を着信履歴情報８３の表示位置の近傍の位置に表示する。着信履歴情報８３に付加情報が追加されている場合、着信履歴情報８３に加えて付加情報を表示するので、ユーザに付加情報から着信相手を思い出すヒントを与えることができる。また、付加情報は、ユーザが過去にした通話の終了時にユーザ自身が設定した情報なので、着信時刻および着信回数に加えて付加情報が表示されるので、着信相手を思い出すのをさらに容易にすることができる。また、過去にした通話の内容を思い出すためのヒントを与えることができる。
【００６２】
なお、付加情報そのものを表示するのに代えて、付加情報に予め関連付けられたアイコンまたはマークを表示するようにしてもよい。さらに、スピーカから所定の着信音を発音してもよいし、振動部２６を所定のパターンで振動させてもよいし、電話番号と付加情報とを記述し、予め設定された電子メールアドレスを宛先に設定した電子メールを生成して送信してもよい。着信音の鳴動、振動部２６の振動、電子メールにより携帯電話機１のユーザに、着信相手に対して付加情報が設定されていることを知らせることができる。
【００６３】
ステップＳ１０においては、発信履歴情報８２を検索し、ステップＳ０２において取得された着信相手の電話番号を含む発信履歴情報８２を抽出したか否かを判断する。そのような発信履歴情報８２を抽出したならば処理をステップＳ１１に進めるが、そうでなければ処理をステップＳ１４に進める。ステップＳ１４においては、ステップＳ０５において抽出された着信履歴情報８３をＬＣＤ１５に表示し、処理をステップＳ２１に進める。着信履歴情報８３が表示されるので、ユーザは、着信時刻および着信回数をヒントに着信相手を思い出すことができる。
【００６４】
ステップＳ１１においては、ステップＳ１０において抽出された発信履歴情報８２と、ステップＳ０５において抽出された着信履歴情報８３とをＬＣＤ１５に表示する。発信履歴情報８２と着信履歴情報８３が表示されるので、ユーザは、発信時刻、発信回数、着信時刻および着信回数をヒントに着信相手を思い出すことができる。
【００６５】
そして、ステップＳ１０において抽出された発信履歴情報８２に付加情報が追加されているか否かを判断する（ステップＳ１２）。付加情報が追加されていれば処理をステップＳ１３に進めるが、そうでなければ処理をステップＳ２１に進める。
【００６６】
ステップＳ１３においては、付加情報が追加されていることを通知し、処理をステップＳ２１に進める。具体的には、付加情報を発信履歴情報８２の表示位置の近傍の位置に表示する。発信履歴情報８２に付加情報が追加されている場合、着信履歴情報８３と発信履歴情報８２とに加えて付加情報を表示するので、ユーザに付加情報から着信相手を思い出すヒントを与えることができる。また、付加情報は、ユーザが過去にした通話の終了時にユーザ自信が設定した情報なので、着信時刻、着信回数、発信時刻および発信回数に加えて付加情報が表示されるので、着信相手を思い出すのをさらに容易にすることができる。また、過去にした通話の内容を思い出すためのヒントを与えることができる。
【００６７】
なお、付加情報そのものを表示するのに代えて、付加情報に予め関連付けられたアイコンまたはマークを表示するようにしてもよい。さらに、スピーカから所定の着信音を発音してもよいし、振動部２６を所定のパターンで振動してもよいし、電話番号と付加情報とを記述し、予め設定された電子メールアドレスを宛先に設定した電子メールを生成して送信してもよい。着信音の鳴動、振動部２６の振動、電子メールにより携帯電話機１のユーザに、着信相手に対して付加情報が設定されていることを知らせることができる。
【００６８】
一方、ステップＳ１５においては、着信履歴情報を記憶し、処理をステップＳ１６に進める。具体的には、ステップＳ０２において取得された着信相手の電話番号と、ステップＳ０１において着信が検出されたときの時刻とを含み、着信回数に「１」を設定した新たな着信履歴情報を生成し、フラッシュメモリ３１の着信履歴情報８３に追加して記憶する。
【００６９】
そして、ステップＳ１６においては、ステップＳ１０と同様に、発信履歴情報８２を検索し、ステップＳ０２において取得された着信相手の電話番号を含む発信履歴情報８２を抽出したか否かを判断する。そのような発信履歴情報を抽出したならば処理をステップＳ１７に進めるが、そうでなければ処理をステップＳ２０に進める。ステップＳ２０においては、「初着信です。」のメッセージをＬＣＤ１５に表示し、処理をステップＳ２１に進める。
【００７０】
ステップＳ１７においては、ステップＳ１６において抽出された発信履歴情報８２をＬＣＤ１５に表示する。発信履歴情報８２が表示されるので、ユーザは、発信時刻および発信回数をヒントに着信相手を思い出すことができる。
【００７１】
そして、ステップＳ１６において抽出された発信履歴情報８２に付加情報が追加されているか否かを判断する（ステップＳ１８）。付加情報が追加されていれば処理をステップＳ１９に進めるが、そうでなければ処理をステップＳ２１に進める。ステップＳ１９においては、ステップＳ１３と同様に、付加情報が追加されていることを通知し、処理をステップＳ２１に進める。
【００７２】
図６は、図５のステップＳ０８が実行される場合における携帯電話機１のＬＣＤ１５に表示される画面の一例を示す図である。図６を参照して、表示画面１０１は、着信時刻として「２００８／２／３  １０：１０」と、着信回数として「３」と、着信相手の電話番号「０９０−ＸＸＸＸ−ＸＸＸＸ」を、付加情報１０３として「重要」とを含む。
【００７３】
図７は、図５のステップＳ１１が実行される場合における携帯電話機１のＬＣＤ１５に表示される画面の一例を示す図である。図７を参照して、表示画面１１１は、着信時刻として「２００８／２／３  １９：１０」と、着信回数として「３」と、発信時刻として「２００８／２／３  １０：１０」と、発信回数として「２」と、着信相手の電話番号「０９０−ＸＸＸＸ−ＸＸＸＸ」と、を含む。
【００７４】
図８は、図５のステップＳ１３が実行される場合における携帯電話機１のＬＣＤ１５に表示される画面の一例を示す図である。図８を参照して、表示画面１２１は、図７に示した表示画面１１１と異なる点は、付加情報１２３として「連絡要」が追加されて含む点である。
【００７５】
図９は、図５のステップＳ１４が実行される場合における携帯電話機１のＬＣＤ１５に表示される画面の一例を示す図である。図９を参照して、表示画面１３１は、着信時刻として「２００８／２／３  １０：１０」と、着信回数として「３」と、着信相手の電話番号着信相手の電話番号「０９０−ＸＸＸＸ−ＸＸＸＸ」とを含む。
【００７６】
図１０は、図５のステップＳ１９が実行される場合における携帯電話機１のＬＣＤ１５に表示される画面の一例を示す図である。図１０を参照して、表示画面１４１は、発信時刻として「２００８／２／３  １０：１０」と、発信回数として「３」と、付加情報１４３として「連絡待ち」と、着信相手の電話番号着信相手の電話番号「０９０−ＸＸＸＸ−ＸＸＸＸ」とを含む。
【００７７】
図１１は、図５のステップＳ２０が実行される場合における携帯電話機１のＬＣＤ１５に表示される画面の一例を示す図である。図１１を参照して、表示画面１５１は、「初着信です。」のメッセージと、着信相手の電話番号着信相手の電話番号「０９０−ＸＸＸＸ−ＸＸＸＸ」とを含む。
【００７８】
図５に戻って、ステップＳ２１においては、操作キー１４のオフフックキーが押下されたか否かを判断する。オフフックキーが押下を検出したならば処理をステップＳ２２に進めるが、そうでなければ処理を終了する。ステップＳ２２においては、無線回路２２に回線を接続させ、通話可能な状態にする。そして、通話が終了したか否かを判断する（ステップＳ２３）。具体的には、操作キー１４のオンフックキーが押下されたか否か、または、無線回路２２が接続した回線が切断されたか否かを判断する。操作キー１４のオンフックキーが押下を検出した場合、または、無線回路２２が接続した回線の切断を検出した場合、処理をステップＳ２４に進めるが、そうでなければ処理をステップＳ２２に戻し、通話を継続する。
【００７９】
ステップＳ２４においては、図４に示した付加情報設定画面をＬＣＤ１５に表示する。そして、付加情報を設定する指示を受け付けたか否かを判断する（ステップＳ２５）。付加情報の指定を受け付けたならば付加情報を設定する指示を受け付けたと判断する。付加情報を設定する指示を受け付けたならば処理をステップＳ２６に進め、そうでなければ処理を終了する。
【００８０】
ステップＳ２６においては、ステップＳ０６において更新された着信履歴情報８３、ステップＳ０５において着信履歴情報が抽出されなかった場合（ステップＳ０５でＮＯ）、ステップＳ１５において記憶された着信履歴情報８３に、ステップＳ２５において指定された付加情報を、追加して記憶する。
【００８１】
図１２は、発信処理の流れの一例を示すフローチャートである。発信処理は、制御部２１が通信履歴表示プログラムを実行することにより、制御部２１により実行される処理である。図１２を参照して、制御部２１は、履歴一覧表示指示を受け付けたか否かを判断する（ステップＳ３１）。ユーザが操作キー１４に履歴表示指示を入力すると、履歴一覧表示指示を受け付ける。履歴一覧表示指示を受け付けたならば処理をステップＳ３２に進めるが、そうでなければ処理をステップＳ３４に進める。履歴一覧表示指示は、着信履歴情報８３を一覧表示させるための指示と、発信履歴情報８２を一覧表示させるための指示と、を含む。着信履歴情報８３と発信履歴情報８２とのいずれを表示するかが異なるのみなので、ここでは、履歴一覧表示指示を、着信履歴情報８３を一覧表示させるための指示とする場合を例に説明する。
【００８２】
ステップＳ３２においては、着信履歴情報８３をＬＣＤ１５に一覧表示する。なお、履歴一覧表示指示が、発信履歴情報８２を一覧表示させるための指示の場合、発信履歴情報８２をＬＣＤ１５に一覧表示する。そして、一覧表示された着信履歴情報８３のうちから１つを選択する指示を受け付けたか否かを判断する（ステップＳ３３）。着信履歴情報８３の１つを選択する指示を受け付けたならば処理をステップＳ３８に進めるが、そうでなければ処理をステップＳ３１に戻す。
【００８３】
ステップＳ３４においては、電話帳８５を用いた発信指示を受け付けたか否かを判断する。電話帳８５に登録されている電話番号が指定された場合に、電話帳８５を用いた発信指示を受け付ける。電話帳８５を用いた発信指示を受け付けたならば処理をステップＳ３５に進めるが、そうでなければ処理をステップＳ３６に進める。ステップＳ３５においては、電話帳８５に登録されている電話番号のうちで指定された電話番号を取得し、処理をステップＳ３７に進める。
【００８４】
ステップＳ３６においては、電話番号を受け付けたか否かを判断する。ユーザが操作キー１４を用いて電話番号を入力すれば、電話番号を受け付ける。電話番号を受け付けたならば処理をステップＳ３７に進める。
【００８５】
ステップＳ３７においては、ステップＳ３５において取得された電話番号、またはステップＳ３６において受け付けられた電話番号を含む着信履歴情報をフラッシュメモリ３１に記憶されている着信履歴情報８３から抽出し、処理をステップＳ３７に進める。
【００８６】
ステップＳ３８においては、ステップＳ３３において選択された着信履歴情報８３に含まれる電話番号、ステップＳ３５において電話帳８５から取得された電話番号、またはステップＳ３６において受け付けられたユーザが直接入力した電話番号を含む発信履歴情報をフラッシュメモリ３１に記憶されている発信履歴情報８２から抽出し、処理をステップＳ３８に進める。なお、履歴一覧表示指示が、発信履歴情報８２を一覧表示させるための指示の場合、一覧表示された発信履歴情報８２のうちから選択されたものに含まれる電話番号を含む着信履歴情報をフラッシュメモリ３１に記憶されている着信履歴情報８３から抽出する。
【００８７】
ステップＳ３９においては、ステップＳ３３において選択された着信履歴情報８３、または、ステップＳ３７において抽出された着信履歴情報８３と、ステップＳ３３において抽出された発信履歴情報８２とをＬＣＤ１５に表示する。ユーザが選択した着信履歴情報に含まれる電話番号、ユーザが電話帳８５で選択した相手の電話番号またはユーザが直接入力した電話番号を含む発信履歴情報８２および着信履歴情報８３のすべてが表示されるので、ユーザは、発信しようとする電話番号に発信した時刻および回数、その電話番号から着信のあった時刻および回数を知ることができ、その電話番号の相手を思い出し、確認するのが容易となる。
【００８８】
そして、表示された発信履歴情報８２または着信履歴情報８３に付加情報が追加されているか否かを判断する（ステップＳ４０）。表示された発信履歴情報８２または着信履歴情報８３のいずれかに付加情報が追加されていれば処理をステップＳ４１に進め、そうでなければステップＳ４１をスキップして処理をステップＳ４２に進める。
【００８９】
ステップＳ４１においては、付加情報が追加されていることを通知し、処理をステップＳ４２に進める。具体的には、着信履歴情報８３に付加情報が追加されているならば、着信履歴情報８３の表示位置の近傍の位置に付加情報を表示し、発信履歴情報８２に付加情報が追加されているならば、発信履歴情報８２の表示位置の近傍の位置に付加情報を表示する。着信履歴情報８３または発信履歴情報８２に付加情報が追加されている場合、着信履歴情報８３および発信履歴情報８２に加えて付加情報を表示するので、ユーザに付加情報から発信相手を思い出すヒントを与えることができる。
【００９０】
なお、付加情報そのものを表示するのに代えて、付加情報に予め関連付けられたアイコンまたはマークを表示するようにしてもよい。さらに、スピーカから所定の着信音を発音してもおいし、振動部２６を所定のパターンで振動させてもよいし、電話番号と付加情報とを記述し、予め設定された電子メールアドレスを宛先に設定した電子メールを生成して送信してもよい。着信音の鳴動、振動部２６の振動し、電子メールにより携帯電話機１のユーザに、発信相手に対して付加情報が設定されていることを知らせることができる。
【００９１】
ステップＳ４２においては、操作キー１４のオフフックキーが押下されたか否かを判断する。オフフックキーが押下を検出したならば処理をステップＳ４３に進め、そうでなければ処理を終了する。ステップＳ４３においては、ステップＳ３３において選択された着信履歴情報８３に含まれる電話番号、ステップＳ３５において電話帳８５から取得された電話番号、またはステップＳ３６において受け付けられたユーザが直接入力した電話番号に、無線回路２２を制御して発呼させる。
【００９２】
ステップＳ４４においては、無線回路２２に回線を接続させ、通話可能な状態にする。そして、通話が終了したか否かを判断する（ステップＳ４５）。具体的には、操作キー１４のオンフックキーが押下されたか否か、または、無線回路２２が接続した回線が切断されたか否かを判断する。操作キー１４のオンフックキーが押下を検出した場合、または、無線回路２２が接続した回線の切断を検出した場合、処理をステップＳ４６に進めるが、そうでなければ処理をステップＳ４４に戻し、通話を継続する。
【００９３】
ステップＳ４６においては、図４に示した付加情報設定画面をＬＣＤ１５に表示する。そして、付加情報を設定する指示を受け付けたか否かを判断する（ステップＳ４７）。付加情報を設定する指示を受け付けたならば処理をステップＳ４８に進め、そうでなければステップＳ４８をスキップして処理をステップＳ４９に進める。
【００９４】
ステップＳ４８においては、ステップＳ３３において選択された着信履歴情報８３に含まれる電話番号、ステップＳ３５において電話帳８５から取得された電話番号、またはステップＳ３６において受け付けられたユーザが直接入力した電話番号を含む発信履歴情報８２に、ステップＳ４７において指定された付加情報を、追加して記憶する。
【００９５】
そして、ステップＳ４９においては、発信した電話番号を含む発信履歴情報８２を更新し、処理を終了する。具体的には、ステップＳ３３において選択された着信履歴情報８３に含まれる電話番号、ステップＳ３５において電話帳８５から取得された電話番号、またはステップＳ３６において受け付けられたユーザが直接入力した電話番号を含む発信履歴情報８２の発信回数の値を、それに１を加算した値に変更する。
【００９６】
図１３は、履歴一覧表示画面の一例を示す図である。履歴一覧表示画面は、図１２のステップＳ３２が実行される場合における携帯電話機１のＬＣＤ１５に表示される画面である。図１３を参照して、履歴一覧表示画面１６１は、２つの着信履歴情報１６３，１６５と、着信履歴情報１６３に追加された付加情報１６４と、着信履歴情報１６５に追加された付加情報１６６と、を含む。
【００９７】
図１４は、図１２のステップＳ３９が実行される場合における携帯電話機１のＬＣＤ１５に表示される画面の一例を示す図である。図１４を参照して、表示画面１７１は、図１３に示した履歴一覧表示画面１６１の着信履歴情報１６３が選択された場合に表示される画面である。表示画面１７１は、図１３に示した履歴一覧表示画面１６１の着信履歴情報１６３である着信時刻として「２００８／５／６  １５：３２」と、着信回数として「５」と、付加情報１６４として「連絡待ち」と、着信相手の電話番号「０９０−ＸＸＸＸ−ＸＸＸＸ」と、その電話番号を含む発信履歴情報である発信時刻として「２００８／５／６  １０：１０」と、発信回数として「３」と、付加情報１７３として「要連絡」と、を含む。
【００９８】
以上説明したように本実施の形態における携帯電話機１は、過去の通信相手の電話番号を含み、発信または着信の時刻および回数を示す履歴情報が記憶され、着信時において、着信相手の電話番号を含む履歴情報が抽出され、表示される。このため、着信時に、着信相手と過去に着信または発信した時刻および回数が履歴として表示されるので、ユーザは、表示された履歴から着信相手が誰であるかを思い出し、確認することができる。
【００９９】
また、着信時に、過去の通話終了時にユーザにより入力された付加情報が表示されるので、ユーザが着信相手を思い出すのを容易にすることができる。付加情報は、「連絡要」、「連絡待ち」、「重要人物」等であり、過去の通話終了時にユーザにより入力された情報である。
【０１００】
また、着信時に、履歴情報に付加情報が設定されている場合、所定の通知が行われるので、ユーザは、着信相手に対して過去の通話終了時に設定した付加情報が存在することを知ることができる。
【０１０１】
また、発信履歴情報８２または着信履歴情報を一覧表示するときにおいて、ユーザが選択した発信履歴情報８２または着信履歴情報８３と同じ識別情報を含む着信履歴情報８３または発信履歴情報８２が表示され、ユーザが選択した相手の履歴情報のすべてが表示されるので、ユーザが選択した相手を思い出すのを容易にすることができる。
【０１０２】
なお、上述した実施の形態においては、通信機器の一例として携帯電話機１を例に説明したが、図５および図１２に示した処理を実行するための通信履歴表示方法または通信履歴表示方法を携帯電話機１を制御する制御部２１に実行させるための通信履歴表示プログラムとして発明を捉えることができるのは、言うまでもない。
【０１０３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１０４】
＜付記＞
（１）  前記履歴情報は、過去の発信相手の識別情報を含む発信履歴情報と過去の着信相手の識別情報を含む着信履歴情報とを含む、請求項１〜１０のいずれか１つに記載の通信機器。
（２）  前記設定手段は、予め定められた複数の付加情報のうちからユーザにより指示された少なくとも１つを前記履歴情報に設定する、請求項２に記載の通信機器。
（３）  前記個人情報は名前である、請求項９に記載の通信機器。
（４）  前記識別情報は電話番号である、請求項１〜１０のいずれかに記載の通信機器。
【図面の簡単な説明】
【０１０５】
【図１】本発明の実施の形態の一つにおける携帯電話の外観を示す斜視図である。
【図２】本実施の形態における携帯電話機のハード構成の一例を示すブロック図である。
【図３】本発明の実施の形態の１つにおける携帯電話機の制御部の機能の概要をフラッシュメモリに記憶する情報とともに示す機能ブロック図である。
【図４】付加情報設定画面の一例を示す図である。
【図５】着信処理の流れの一例を示すフローチャートである。
【図６】表示画面の一例を示す第１の図である。
【図７】表示画面の一例を示す第２の図である。
【図８】表示画面の一例を示す第３の図である。
【図９】表示画面の一例を示す第４の図である。
【図１０】表示画面の一例を示す第５の図である。
【図１１】表示画面の一例を示す第６の図である。
【図１２】発信処理の流れの一例を示すフローチャートである。
【図１３】履歴一覧表示画面の一例を示す図である。
【図１４】表示画面の一例を示す第７の図である。
【符号の説明】
【０１０６】
１  携帯電話機、１１  スピーカ、１３  マイクロフォン、１４  操作キー、１５  ＬＣＤ、２１  制御部、２２  無線回路、２２Ａ  アンテナ、２３  コーデック部、２４  カメラ、２５  操作部、２６  振動部、２７  カードＩ／Ｆ、２７Ａ  メモリカード、２８  音声制御部、３１  フラッシュメモリ、５１  履歴記憶部、５３  更新部、５５  設定部、５７  通信制御部、５９  履歴表示部、６１  抽出部、６３  表示制御部、６５  通知部、８１  履歴情報、８２  発信履歴情報、８３  着信履歴情報、８５  電話帳。
【図１】
2010068060.tif 000003
【図２】
2010068060.tif 000004
【図３】
2010068060.tif 000005
【図４】
2010068060.tif 000006
【図５】
2010068060.tif 000007
【図６】
2010068060.tif 000008
【図７】
2010068060.tif 000009
【図８】
2010068060.tif 000010
【図９】
2010068060.tif 000011
【図１０】
2010068060.tif 000012
【図１１】
2010068060.tif 000013
【図１２】
2010068060.tif 000014
【図１３】
2010068060.tif 000015
【図１４】
2010068060.tif 000016